(57)【要約】本発明は、前面部（１５）に一つ以上の主ランプ（７５）が配置され、側面部（１９）に一つ以上の補助ランプ（８１）が配置され、上記側面部（１９）には傾斜された傾斜面を有するケース（１１）と；帽子（１）の帽子ひさし（３）に分離可能に結合させる着脱ユニット（３１）と；を含む着脱型発光器に関する。
2010531534.tif 000002
【特許請求の範囲】
【請求項１】
前面部に一つ以上の主ランプが配置され、側面部に一つ以上の補助ランプが配置され、上記側面部には傾斜された傾斜面を有するケースと；
上記ケースを対象体に分離可能に結合させる着脱ユニットと；を含むことを特徴とする着脱型発光器。
【請求項２】
上記主ランプ及び補助ランプに供給される電源は、充電式バッテリーによって供給され、上記充電式バッテリーは、外部電源からの入力ジャックを通じて充電させることを特徴とする請求項１に記載の着脱型発光器。
【請求項３】
上記ケースは相互結合される上部板及び下部板を含むことを特徴とする請求項１に記載の着脱型発光器。
【請求項４】
上記着脱ユニットは、下部板に左右方向に離間された二つ以上のクリップ及び上記クリップをその離間された左右方向に延長する延長部を含み、上記延長部は、後面部に向かって折曲された折曲部を有することを特徴とする請求項１に記載の着脱型発光器。
【請求項５】
上記延長部及び折曲部は、その内側断面が所定半径の曲率を有するように形成されることを特徴とする請求項４に記載の着脱型発光器。
【請求項６】
上記延長部は、その上部面及び下部面がその長さ方向の曲率を有するように形成されることを特徴とする請求項５に記載の着脱型発光器。
【請求項７】
上記クリップは、上記折曲部から延長され、上記下部板の底面に向かって弾性付勢するように折曲して形成され、この折曲された部分に対象体と接触する接触面を有し、上記接触面はその幅方向の曲率を有するように形成されることを特徴とする請求項５に記載の着脱型発光器。
【請求項８】
上記主ランプ及び補助ランプに供給される電源をオン／オフする第１スィッチと、上記第１スィッチと電気的に接続されて、上記第１スィッチの作動を制御する第２スィッチとを有することを特徴とする請求項１に記載の着脱型発光器。
【請求項９】
一つ以上の超音波波長領域を発生させる超音波発生器をさらに含むことを特徴とする請求項１に記載の着脱型発光器。
【請求項１０】
相互結合される上部板及び下部板を備え、上記上部板及び下部板の間にバッテリー及び回路基板が介在され、一つ以上のランプを有するケースと；
上記ケースを対象体に分離可能に結合させる着脱ユニットと；を含み、
上記上部板及び下部板の中の何れか一側の内部面には、上記バッテリー及び回路基板の載置位置を整列する複数の整列ガイドが突出され、上記上部板及び下部板は、互いに対向する面に結合突起及び結合溝を有することを特徴とする着脱型発光器。
【請求項１１】
上記上部板及び下部板は、互いに対向する面に突出されたフック結合部及びフック部を備え、上記フック結合部及びフック部それぞれに支持リーブが直交する方向に形成されることを特徴とする請求項１０に記載の着脱型発光器。
【請求項１２】
上記フック結合部及びフック部は、バッテリー及び回路基板が互いに隣接する部分に配置されることを特徴とする請求項１１に記載の着脱型発光器。
【請求項１３】
上記上部板及び下部板は、互いに対向する面に格子形状の補強リーブをそれぞれ有することを特徴とする請求項１０に記載の着脱型発光器。
【請求項１４】
上記バッテリーは充電式バッテリーであることを特徴とする請求項１０に記載の着脱型発光器。
【請求項１５】
一つ以上のランプを有し、上記ランプに電気的に接続された回路基板及びバッテリーが内装されたケースと；
上記ケースを対象体に分離可能に結合させる着脱ユニットと；を含み、
上記回路基板は上記バッテリーの周辺を取り囲むように設置されることを特徴とする着脱型発光器。
【請求項１６】
上記回路基板は、上記バッテリーの周辺を取り囲む第１端乃至第３端を有し、上記ランプの電源リード線は上記回路基板の一側端に熔接されることを特徴とする請求項１５に記載の着脱型発光器。
【発明の詳細な説明】
【技術分野】
【０００１】
本発明は着脱型発光器に関し、さらに詳しくは、使用上の便宜性を大幅に向上させながら、堅固で安定的な組み立て構造を具現した着脱型発光器に関する。
【背景技術】
【０００２】
一般に、山登りや釣り、運動、旅行やハイキング、ジョギングなどのようなレジャー及びスポーツ活動の時、日光から顔を保護し、日光を遮光して視野を確保するために帽子ひさしの前面に突出された帽子を着用し、夜間作業場でも上記のような帽子を着用する。
【０００３】
上記のように、帽子を着用して山登り及び釣り、旅行など昼間に活動するには特に問題がないが、夜間には視野の確保が困難で別途の発光器、即ちフラッシュを備えなければならない問題点がある。
【０００４】
また、上記のように、山登りや旅行の中、夜間にフラッシュを使用者が直接把持して移動しなければならないので、活動が不自然で、光が照らす所に沿って視野を移動しなければならないので、気が散って事故の発生する虞がある。
【０００５】
また、夜間作業場などのように、手は自由で、明るい光が必要な場所では、片手にフラッシュを持ち、もう一方の手のみで作業しなければならないので、不便な問題点があり、作業者が両手を使わなければならない場合には、他の作業者がフラッシュを傍で持っていなければならないという問題点がある。
【０００６】
このような問題点を解決するために、発光ランプが付いているバンドを頭に付けたり、クリップによって帽子ひさしなどに着脱される発光器が広く知られている。
【０００７】
発光ランプが付いているバンドを頭に付けて使用する場合、バンドが作業者の頭に密着されるので、作業者の頭を圧迫して使用することが不便な問題点がある。
【０００８】
また、クリップなどによって帽子ひさしに着脱される発光器は、その結合力が脆弱で、帽子ひさしなどが前方に偏ったり、発光器が帽子ひさしなどから容易に離脱されることによって、その使用が不便であるという短所があった。
【０００９】
このような従来の発光器は、その電源を主に非充電式バッテリーを使用しており、このような非充電式バッテリーを頻繁に取り替えなければならないので、使用者の使用便宜性が非常に低下され、その取り替え費用がたくさん必要となる短所があった。また、バッテリーと回路基板の配置関係が複雑で、ランプの電源リード線を回路基板側に熔接させる作業が非常に複雑で、ランプの電源リード線を回路基板に堅固に結合しにくくなって、生産性が極めて低下されるとともに、製品の不良をもたらすことができる問題点があった。
【００１０】
これによって、最近には、入力ジャックを媒介に電源を容易に充電することができる充電式バッテリーが適用されているが、このような充電式バッテリーが適用される場合、発光器の体積及び重量が大幅に増加するようになるので、使用者の使用便宜性が依然として低下される短所があった。
【００１１】
例えば、発光器の重量が大きくなると、発光器を帽子ひさしなどに装着した状態でその重量によって帽子ひさしが前方に偏って、その使用便宜性が非常に低下され、また発光器の体積が大きくなると、発光器によって視野が遮られることによって、発光器の目的を具現することができない問題点が発生する。
【００１２】
また、従来の発光器は、非充電式バッテリーの使用によって、簡単に捨てられるバッテリーによって環境汚染の問題が惹起される短所がある。
【００１３】
また、従来の発光器は、そのケースの組み立て構造が堅固でなくて、外部衝撃に対する強度が低く、またその部品の相互間のフィッティング性が悪く、組み立てまたは生産工程が低下され、これによるその生産性及び組み立て性が非常に低下されて、製造費用が上昇する短所があった。
【発明の概要】
【発明が解決しようとする課題】
【００１４】
本発明は上記のような従来技術の問題点を解決するために創出されたもので、本発明の目的は、対象体からの着脱が容易であるとともに、より堅固な結合を図ることによって、使用上の不便さを最小化することができる着脱型発光器を提供することにある。
【００１５】
また、本発明は外部に対して着用者の発光信号をより容易に感知するようにすることによって、夜間に外部からの安全を図るとともに、各種の警報灯、手信号などのような多様な用途に積極的に活用されることができる着脱型発光器を提供する。
【００１６】
また、本発明は充電式バッテリーを適用して、バッテリーを充電して使用することによって、従来の非充電式バッテリーの使用による頻繁な取り替えによる使用上の不便さまたは取り替え費用の増加などのような短所を解消することができるとともに、充電式バッテリーの使用によって体積及び重量が増加する短所を解消する着脱型発光器を提供することを目的とする。
【００１７】
また、本発明はそのケースの組み立て構造をより堅固にすることによって、外部衝撃に対する強度を補強するとともに、部品同士の間のフィッティング性を良好にさせることによって、その組み立て及び生産性を上昇させて、製造費用を大幅に減少させることができる着脱型発光器を提供することを目的とする。
【００１８】
また、本発明は内部空間の最適化を通じて、小型及び軽量化を図ることができる着脱型発光器を提供することをその目的とする。
【００１９】
また、本発明はランプの電源リード線を回路基板側により容易で堅固に熔接することができるので、その生産性を大幅に向上させ、製品の不良を最小化することができる着脱型発光器を提供することを目的とする。
【課題を解決するための手段】
【００２０】
上記の目的を実現するための本発明の好ましい一実施形態による着脱型発光器は、前面部に一つ以上の主ランプが配置され、側面部に一つ以上の補助ランプが配置され、上記側面部には傾斜された傾斜面を有するケース及び上記ケースを対象体に分離可能に結合させる着脱ユニットを含むことをその特徴とする。
【００２１】
本発明の好ましい一特徴として、相互結合される上部板及び下部板を備え、上記上部板及び下部板の間にバッテリー及び回路基板が介在され、一つ以上のランプを有するケース及び上記ケースを対象体に分離可能に結合させる着脱ユニットを含み、上記上部板及び下部板の中の何れか一側の内部面には、上記バッテリー及び回路基板の載置位置を整列する複数の整列ガイドが突出され、上記上部板及び下部板は互いに対向する面に結合突起及び結合溝を有する。
【００２２】
本発明の好ましい他の特徴として、一つ以上のランプを有し、上記ランプに電気的に接続された回路基板及びバッテリーが内装されたケース及び上記ケースを対象体に分離可能に結合させる着脱ユニットを含み、上記回路基板は、上記バッテリーの周辺を取り囲むように設置される。
【発明の効果】
【００２３】
本発明による着脱型発光器によれば、その着脱が容易であるとともに、堅固な結合を図ることによって、使用上の不便さを最小化することができる長所がある。
【００２４】
また、本発明は、前方を照らす主ランプ以外に点滅する補助ランプを備えることによって、外部から自分の位置を感知するようにして、夜間に外部からの安全を図ることができ、帽子ひさしに着脱されるクリップの構造を改善することによって、ハイキングまたはジョギングなどのような激しい運動をする時も、クリップが破損されることを防止して、製品の寿命を延長することができる着脱型発光器を提供する。
【００２５】
また本発明の着脱型発光器に使用される電源は、充電式バッテリーの適用が好ましい。外部電源からの電源を入力ジャックを通じて充電式バッテリーの入力端子に接続してバッテリーを充電させて、バッテリーを交換しないで、長い時間使用することができる。
【００２６】
また、本発明の着脱型発光器は、回路基板がバッテリーの周辺を取り囲む構造を適用することによって、充電式バッテリーを使用しても発光器の大きさ及び重量を減少させることができる長所がある。
【００２７】
特に、本発明はランプの電源リード線を回路基板側により容易で堅固に熔接することができるので、その生産性を大幅に向上させ、製品の不良を最小化することができるという利点がある。
【図面の簡単な説明】
【００２８】
【図１】本発明による着脱型発光器の斜視図。
【図２】図１の要部分解斜視図。
【図３】図１の分解斜視図。
【図４】図１に示す他の着脱型発光器の底面斜視図。
【図５】図４の縦断面図。
【図６】本発明による着脱型発光器が帽子ひさしに装着された状態を示した図。
【図７】図６の矢印Ａに沿って示した図面。
【発明を実施するための形態】
【００２９】
上述した本発明の目的、特徴及び長所は、以下の詳細な説明によってより明確になる。
【００３０】
以下、添付された図面を参照して本発明による着脱型発光器を説明すれば下記の通りである。
【００３１】
まず、図面において、同一の構成要素または部品は同一の参照符号で示していることに留意すべきである。本発明を説明するにあたって、関連する公知の機能または構成に対する具体的な説明は本発明を明確にするために省略する。
【００３２】
図１乃至図５には、本発明に好ましい一実施形態による着脱型発光器が示されている。これら図面に示したように、本発明による着脱型発光器１０は、ケース１１及び帽子ひさし３などのような対象体に分離可能に結合される着脱ユニット３１を含む。
【００３３】
ケース１１は下部面を形成する下部板１３と、この下部板１３の上部側に結合される上部板２１とで構成される
【００３４】
上記下部板１３は、その端に沿って互いに対向して配置されて、前面と後面を形成する前面部１５及び後面部１７とを備え、上記前面部１５及び後面部１７には、一対の側面部１９が配置される。ここで、上記前面部１５には、主ランプ７５が支持されるランプブラケット２５が結合され、このランプブラケット２５には反射面２５ａを有する。また、上記ランプブラケット２５の前方には、主ランプ７５から発散される光を前方に拡散する光拡散レンズ２７が備えられている。
【００３５】
また、側面部１９は前面部１５に後面部１７に向けて傾斜された傾斜面１９を有し、上記傾斜面１９には補助ランプ８１が装着され、補助ランプ８１の周辺には反射面８１ａが備えられることができる。
【００３６】
上記上部板２１は下部板１３に対して分離可能に結合され、上記下部板１３に対応してその左右両側が傾斜して形成される。
【００３７】
一方、上記上部板２１及び下部板１３の間には充電式バッテリー４５及び回路基板７１が介在されることができ、この時の上記バッテリー４５は平板状に提供され、上記回路基板７１はバッテリー４５の周辺を取り囲むように形成されることが好ましい。ここで、本発明の着脱型発光器に用いられる電源は非充電式でも使用可能であるが、非充電式バッテリーの使用によって惹起される頻繁なバッテリーの取り替えによる厄介と取り替えによる維持費用の増加、また廃棄される廃電池による環境問題などを考慮して、充電式バッテリーの適用が好ましい。このような充電式バッテリーは外部電源からの電源を入力ジャックを通じて入力端子に接続することによって充電される。
【００３８】
このようにケース１１は、その左右両側面に傾斜面１９を有することによって、前面部１５側に配置される主ランプ７５及び補助ランプ８１の発光信号は、外部により広い範囲に拡散させることができ、これによって外部でより容易に感知することができて、夜間に外部からの安全を図るとともに、各種の警報灯、手信号などのような多様な用途に積極的に活用されることができる。
【００３９】
ここで、主ランプ７５及び補助ランプ８１は、その発光色相を多様に設定するとによって、各種の警報信号、手信号などの用途に活用されることができる。
【００４０】
上部板２１には、後述するメインスィッチ８５及び補助スィッチ９１が貫通する貫通孔２１ａ、２１ｂが形成される。
【００４１】
着脱ユニット３１は、ベルクロファスナー、クリップなどのように、多様な構造に形成されて、対象体に分離可能に結合される。
【００４２】
本実施形態の着脱ユニット３１は、下部板１３に左右方向に離間された二つ以上のクリップ４１及び上記クリップ４１をその離間された左右方向に延長する延長部３３を含み、上記延長部３３は後面部１７に向かって折曲された折曲部３５を有する。
【００４３】
延長部３３は離間された二つ以上のクリップ４１を左右方向で延長ばしながら、下部板１３に連結させることによって、各クリップ４１の連結面積をより増大させることによって、クリップ４１が容易に破損されることを防止することができる。
【００４４】
図５に示したように、延長部３３及び折曲部３５は、その内側断面３３ａ、３５ａが所定半径の曲率を有するように形成されることによって、延長部３３及び折曲部３５側に印加される外力を適切に分散させることによって、その強度をより補強することができ、これによって、その破損を防止することができる。
【００４５】
延長部３３は、図４及び図６に示したように、その上部面３３ｂ及び下部面３３ｃがその長さ方向に所定半径の曲律を有するように形成され、これによって外力がその曲律された上部面３３ｂ、３３ｃに沿って分散されることによって、その強度をより強化させることができる。
【００４６】
クリップ４１は折曲部３５から延長され、下部板１３の底面に向かって弾性付勢するように折曲されて、この折曲された部分に帽子ひさし３などのような対象体と接触する接触面４１ａを有する。
【００４７】
また、接触面４１ａは帽子ひさし３のような対象体との接触面積をより広くするように、その幅方向に所定半径曲律するように形成され、これによって着脱ユニット３１の結合力を大幅に増大させるとともに、クリップ４１は対象体に面接触されて支持されることによって、その接触力または結合力を大幅に増大させることができる。
【００４８】
これによって、本発明の着脱ユニット３１は、延長部３３及び折曲部３５の曲律された構造３３ａ、３３ｂ、３３ｃ、３５ａによってその強度が補強されることによって、帽子ひさし３などに結合された状態で、ハイキングまたはジョギングなどのような激しい運動をする時も、クリップ４１に作用する疲れ強度を低減して、クリップ４１が破損されることを防止し、製品の寿命を延長することができる。
【００４９】
特に、二つ以上のクリップ４１が両側に湾曲された帽子ひさし３に結合される場合、帽子ひさし３にケース１１の下部板１３が自然に密着されて、帽子ひさし３の外皮がクリップ４１によって破損されることを防止するとともに、ケース１１が帽子ひさし３から離脱されないで定位置に堅固に固定される。
【００５０】
バッテリー４５は充電式バッテリーで形成されることができ、平らな形状を有し、ケース１１の下部板１３及び上部板２１の間に介在され、この充電式バッテリー４５の周辺には回路基板７１が取り囲む形態に設置される。
【００５１】
特に、本発明は、充電式バッテリー４５が適用されるによって、充電式バッテリー４５の大きさによって全体のサイズ及び重量の増加をもたらすことができる点を考慮して、上部板２１及び下部板１３の厚さを薄くして、そのサイズ及び重量の減少を図ることができる。
【００５２】
また、上部板２１及び下部板１３の互いに対向する面には、バッテリー４５が載置される載置部４７ａ、４７ｂを有し、この載置部４７ａ、４７ｂには格子形状の補強リーブ４９ａ、４９ｂがそれぞれ形成され、この補強リーブ４９ａ、４９ｂによって上部板２１及び下部板１３はその厚さを最小化するとともに、その強度を補強することによって、本発明のケース１１は小型及び軽量化を図ることができる。
【００５３】
下部板１３及び上部板２１は互いに対向する面の中の何れか一側面に突出された一つ以上の整列ガイド５１、５３を有する。
【００５４】
この整列ガイド５１、５３は、バッテリー４５及び回路基板７１の互いに隣接する面を整列する一つ以上の第１整列ガイド５１と、後面部１７に隣接して配置されて、バッテリー４５の一側の長辺を整列する一つ以上の第２整列ガイド５３とで構成され、第２整列ガイド５３と同一線上に一つ以上の結合溝部５４が突出され、この結合溝部５４には、上部板２１から突出された結合突起５２が嵌合されることができ、結合突起５２は十字型の補強リーブ５２ａによってその支持剛性が補強される。このような結合溝５４及び結合突起５２またバッテリー４５及び回路基板７１の載置位置を整列する役割を兼備することができる。
【００５５】
また、下部板１３には、第１整列ガイド５１及び第２整列ガイド５３とともに、バッテリー４５及び回路基板７１の載置位置を整列する一対のフック結合部６１が、下部板１３の板面から上部板２１に向かって突出して形成され、このフック結合部６１は、バッテリー４５及び回路基板７１の間に突出されることができる。このフック結合部６１には、フック結合部６１と直交する方向に支持リーブ６１ａが形成されて、この支持リーブ６１ａによってフック結合部６１はその支持剛性を補強することができる。
【００５６】
上部板２１には、フック部６５が下部板１３に向かって突出され、このフック部６５は下部板１３のフック結合部６１に噛み合うことによって、上部板２１及び下部板１３が結合される。このフック部６５には、フック部６５と直交する方向に支持リーブ６５ａが形成され、この支持リーブ６５ａにフック部６５はその支持剛性を補強することができる。
【００５７】
フック部６５は、図５に示したように、上部板２１の板面から下部板１３に向かって突出された周壁６７と、下部板１３のフック結合部６１のフック孔６３に噛み合う係止突起６９を有する。係止突起６９は周壁６７の末端部に周壁６７の外周面から外向きに突出して形成されている。係止突起６９の末端部の領域は上部板２１を下部板１３にフック結合する時、結合が容易になるように、周壁６７の末端部から上部板２１に向かって傾斜された傾斜面を有する。これによって、フック結合の反対方向に傾斜されたフック部６５の係止突起６９の傾斜面によって、上部板２１を下部板１３に容易に組み立てることができる。このようなフック部６５とフック結合部６１は、上部板２１及び下部板１３を堅固に固定する役割の他に、バッテリー４５をバッテリー載置部４７ａ，４７ｂに容易に載置させる役割を果たす。
【００５８】
このような構成によって、上部板２１及び下部板１３は、フック結合部６１及びフック部６５、結合突起５２及び結合溝６５によって、その結合がより堅固になる。また、フック結合部６１及びフック部６５は所定の長さに突出されていても、支持リーブ６１ａ、６５ａによってその支持剛性が補強されることによって、上部板２１及び下部板１３のより堅固な結合を図ることができる。これによって、本発明のケース１１は、その組み立て及び結合構造が堅固で、外部衝撃に対する剛性が強化されるとともに、上部板２１及び下部板１３に形成された第１整列ガイド５１及び第２整列ガイド５３などを通じて、バッテリー４５及び回路基板７１が上部板２１及び下部板１３の内で隙間なしに嵌合されることによって、部品同士の間のフィッティング性を非常に良好にするとともに、内部空間の最適化を達することができる。
【００５９】
また、上部板２１及び下部板１３の互いに対向する面には、バッテリー４５が載置される載置部４７ａ、４７ｂを有し、この載置部４７ａ、４７ｂには格子形状の補強リーブ４９ａ、４９ｂがそれぞれ形成され、この補強リーブ４９ａ、４９ｂによって上部板２１及び下部板１３は、その厚さを最小化するとともに、その強度を補強することによって、本発明のケース１１は小型及び軽量化を図ることができる。
【００６０】
ケース１１の内には主ランプ７５及び補助ランプ８１に電源を供給するための回路が形成された回路基板７１が収容されている。
【００６１】
この時、回路基板７１はケース１１の上部板２１及び下部板１３の間に載置されて、主ランプ７５及び補助ランプ８１に電源を供給するための回路を備える。回路基板７１は、バッテリー４５の周囲領域を取り囲むように形成され、この回路基板７１はその一側に入力端子７６を有し、この入力端子７６には入力ジャック４５ａが接続され、この入力ジャック４５ａによって外部電源が充電式バッテリー４５に充電される。また、回路基板７１はその他側に出力端子７７を有し、この出力端子７７には出力ジャック４５ｂが接続され、この出力ジャック４５ｂを通じてバッテリー４５に充電された電源をナビゲーター、携帯電話、ＭＰ３などのような外部の電子製品を充電することもできる。
【００６２】
また、本発明の着脱型発光器に使用される電源は、非充電式バッテリーも使用可能であるが、非充電式バッテリーの使用によって惹起される頻繁なバッテリーの取り替え問題及びその取り替えによる費用の増加、捨てられるバッテリーによって招かれる環境の問題などを考慮して、充電式バッテリーの適用が好ましい。外部電源からの電源を入力ジャックを通じて入力端子に接続して、バッテリーを充電させて、バッテリーを交換しないで、長い時間使用することができる。
【００６３】
一方、回路基板７１は、充電式バッテリー４５の周辺を取り囲む第１端乃至第３端７１ａ、７１ｂ、７１ｃを有し、第１端７１ａの端部には、嵌込溝７１ｄが形成され、この嵌込溝７１ｄには、フック結合部６１が挿入されて、回路基板７１の載置または装着をより正確にすることができる。故に、本発明は、回路基板７１がバッテリー４５の周辺を取り囲む構造で構成されることによって、上部板２１及び下部板１３の高さを最小化した低背型（ｌｏｗ  ｐｒｏｆｉｌｅ）を具現してそのサイズを全体的によりコンパクト化することができるという長所がある。
【００６４】
また、回路基板７１がバッテリー４５の周辺を取り囲む構造によって、回路基板７１はその回路パターンがより単純に形成されることができるので、主ランプ７５または補助ランプ８１の電源リード線７９を回路基板７１側に熔接する場合、別途の補助電線またはその他の別途の加工が必要なく、直接電源リード線７９を回路基板７１側に熔接することができる。これによって、本発明はその熔接作業が非常に簡単に行われるという長所がある。例えば、主ランプ７５の電源リード線７９は、回路基板７１の第１端７１ａに隣接して直接熔接されることによって、電源リード線７９及び回路基板７１の熔接構造が改善されて生産性の向上を図ることができる。
【００６５】
主ランプ７５は、上記回路基板７１に電気的に接続され、ケース１１の前面部１５に配置されたランプブラケット２５に支持されて、ケース１１の前方に光を発散する。本実施形態では、四つの主ランプ７５が図示されているが、主ランプ７５の数量はこれに限定されない。そのため、主ランプ７５の発光によって歩行または作業を容易にすることができる。
【００６６】
補助ランプ８１は、ケース１１の傾斜面１９ａに配置され、その電源リード線が回路基板７１の両側に熔接される。この時の上記補助ランプ８１は、バッテリー４５から提供される電源によって発光し、所定の時間間隔に点滅する。故に、ケース１１の両側に位置した補助ランプ８１の点滅によって、危急な状況や非常時、自分の位置をさらに容易に知らせることができるとともに、外部から自分の位置を感知するようにして、夜間の安全を図ることができる。
【００６７】
ここで、主ランプ７５及び補助ランプ８１は、発光ダイオード（ＬＥＤ）であることが好ましい。
【００６８】
一方、本発明による着脱型発光器１０は、バッテリー４５と電気的に接続されて、主ランプ７５及び補助ランプ８１に供給される電源をオン／オフする第１スィッチ８５と、第１スィッチ８５と電気的に接続されて、第１スィッチ８５の作動を制御する第２スィッチ９１とを有する。ここで、第１スィッチ８５はプッシュボタンスィッチであり、第２スィッチ９１はスライドスィッチで構成されることが例示されている。
【００６９】
第１スイッチ８５及び第２スィッチ９１は、上部板２１の各貫通孔２１ａ，２１ｂを貫通して、上部板２１の板面から突出されている。
【００７０】
このような構成によって、第２スィッチ９１がオンになった状態で、第１スィッチ８５がオンになる場合、バッテリー４５の電源が主ランプ７５及び補助ランプ８１に同時に供給されて、主ランプ７５と補助ランプ８１は同時に発光される。
【００７１】
ここで、第２スィッチ９１がオンになった状態で、第１スィッチ８５を一回押すと、主ランプ７５のみ点灯し、第１スィッチ８５をもう一回押すと補助ランプ８１が点灯し、第１スィッチ８５を再び押すと主ランプ７５と補助ランプ８１が同時にオフにすることもできる。
【００７２】
また、第１スイッチ８５及び第２スィッチ９１の中の何れか一つのみがオンになった状態である場合、バッテリー４５の電源は、主ランプ７５及び補助ランプ８１に供給されないで、出力ジャック７７にのみ電源が供給されるようにすることによって、出力ジャック７７を通じる外部の電子製品を充電することもできる。
【００７３】
一方、本発明は、超音波発生器９０をさらに備えることができ、この超音波発生器９０は、回路基板７１側に接続され、上部板２１のスピーカーホール９１を通じて超音波を伝送して、蚊、ハエなどのような各種の虫の接近を予め遮断することができる。
【００７４】
本発明の超音波発生器９０は、一つ以上の波長を多様な領域別に発生させることによって、その退治しようとする虫を各波長の領域別に遮断して、その使用便宜性を大幅に向上させることができる。
【００７５】
このような構成によって、本発明による着脱型発光器１０は、図６及び図７に例示したように、クリップ４１が上方を向かうように配置した後、帽子１の帽子ひさし３が発光器１０のケース１１とクリップ４１との間に位置するように、帽子ひさし３に結合される。
【００７６】
この場合、クリップ４１の自由端部がケース１１の後面部１７の上方に上向き曲線に形成されて、帽子ひさし３の前方から後方に発光器１０を押し入れて、容易に帽子ひさし３に結合することができ、両側が下向きに湾曲して形成された帽子ひさし３にケース１１の下部板１３が自然に密着されて、帽子ひさし３の外皮がクリップ４１によって破損されることを防止するとともに、ケース１１の下部板１３に向かって弾性付勢する一対のクリップ４１によってケース１１が帽子ひさし３で離脱されないで、定位置に堅固に結合される。
【００７７】
また、本発明の発光器１０は、帽子１を着用した状態で、ハイキングまたはジョギングなどのような激しい運動をする時も、クリップ４１に作用する疲れ強度を低減して、クリップ４１が破損されることを防止し、製品の寿命を延長することができる。
【００７８】
また、上記のように、帽子ひさし３に固定された発光器１０のケース１１の上部板２１に設置された第２スィッチ９１をオンの位置に操作した状態で、第１スィッチ８５を一回押してオンにさせると、主ランプ７５及び補助ランプ８１は、バッテリー４５から電源が供給されて発光する。
【００７９】
この場合、主ランプ７５が帽子ひさし３の末端部に位置するので、主ランプ７５から発光する光を遮る構造物がなくて、影が発生されないとともに、主ランプ７５が目の位置より前方に位置するようになって、視野角を確保することができ、主ランプ７５の照射角が目の視野角と一致されることができ、帽子１を被ると、その位置が固定されることができ、頭を振り向く位置によって主ランプ７５の位置も同じ角度に変わりながら、前方を照らすようになるので、夜間に容易に視野を確保することができる。
【００８０】
同時に、バッテリー４５から電源が供給された補助ランプ８１は、所定の時間間隔に点滅するようになり、故に、帽子ひさし３の前方だけでなく、帽子ひさし３の両側でも発光されるので、危急な状況や非常時、帽子１の着用者の位置をさらに容易に知らせることができる。
【００８１】
一方、第１スィッチ８５がオンの状態で、第２スィッチ９１をオフの位置に操作すると、バッテリー４５から電源が供給されなくなって、主ランプ７５及び補助ランプ８１は消灯されることによって、バッテリー４５の自然放電を遮断することができる。
【００８２】
このように、前面部及び後面部の間に配置される一対の側面部に、前面部と鈍角を成すように傾斜された傾斜面を形成し、この傾斜面に点滅する補助ランプを配置し、ケースとクリップとの間に帽子ひさしの周囲を囲む着脱ユニットを形成することによって、外部から自分の位置を感知するようにして、夜間に外部からの安全を図ることができ、ハイキングまたはジョギングなどのような激しい運動をする時も、クリップに作用する疲れ強度を低減して、クリップが破損されることを防止し、製品の寿命を延長することができる。
【００８３】
また、主ランプの電源リード線をバッテリーに隣接する回路基板の端に熔接することによって、熔接作業が容易であるとともに、主ランプの電源リード線を回路基板に堅固に結合することができ、熔接作業時間が短縮されて、生産性を向上させ、製品の不良を減少することができる。
【００８４】
一方、本発明は記載された実施形態に限定されるものではなく、本発明の思想及び範囲を逸脱しないで、多様に修正及び変形することができることは、当該技術分野において通常の知識を有する者にはとって自明である。従って、そういう変形例または修正例は本発明の特許請求の範囲に属するとすべきである。
【図１】
2010531534.tif 000003
【図２】
2010531534.tif 000004
【図３】
2010531534.tif 000005
【図４】
2010531534.tif 000006
【図５】
2010531534.tif 000007
【図６】
2010531534.tif 000008
【図７】
2010531534.tif 000009
【国際調査報告】
2010531534.tif 000010
2010531534.tif 000011